(57)【要約】【課題】スピンドルモータ４によってＤＶＤメディア２を回転させるＤＶＤレコーダ１において、冷却ファン６の不要な回転による消費電力の増加、騒音、及びＤＶＤレコーダ１本体内部への塵埃の混入を軽減することを目的とする。【解決手段】ＤＶＤレコーダ１の内部の温度を上昇させるスピンドルモータ４が回転すると、スピンドルモータ４は、ＦＧ信号をモータ制御部５へ出力する。ＤＶＤ制御部１０は、モータ制御部５がＦＧ信号を受信したことに応じて、トランジスタ９へ信号を送ることにより、ファン用モータ７への電流の供給を制御する。これにより、冷却ファン６は、スピンドルモータ４が駆動しているときのみ回転するため、冷却ファン６の不要な回転による消費電力の増加、騒音、及びＤＶＤレコーダ１本体内部への塵埃の混入を軽減することができる。【選択図】図１
2008108370.tif 000002
【特許請求の範囲】
【請求項１】
映像及び音声からなるコンテンツをビデオカセットに録画し、前記ビデオカセットに録画されている前記コンテンツを再生するＶＣＲ（Ｖｉｄｅｏ  Ｃａｓｓｅｔｔｅ  Ｒｅｃｏｒｄｅｒ）を備えたＤＶＤレコーダにおいて、
ＤＶＤメディアを回転させるスピンドルモータと、
前記スピンドルモータを制御するモータ制御部と、
前記スピンドルモータに送風する冷却ファンと、
前記冷却ファンを回転させるファン用モータと、
前記ファン用モータへの電流の供給を制御するスイッチ手段と、
前記モータ制御部及び前記スイッチ手段を制御するＤＶＤ制御部と、を備え、
前記スピンドルモータは、回転しているとき前記モータ制御部へＦＧ信号を継続的に送信し、停止しているとき前記モータ制御部へＦＧ信号を送信せず、
前記ＤＶＤ制御部は、前記モータ制御部が前記ＦＧ信号を受信しているとき、前記ファン用モータへ電流を供給するように前記スイッチ手段を制御し、前記モータ制御部が前記ＦＧ信号を受信していないとき、前記ファン用モータへ電流を供給しないように前記スイッチ手段を制御することにより、前記ＶＣＲが動作しているか否かに関わらず、前記スピンドルモータが回転しているときのみ、前記冷却ファンを稼動させることを特徴とするＤＶＤレコーダ。
【請求項２】
映像及び音声からなるコンテンツをＤＶＤメディアに録画し、前記ＤＶＤメディアに録画されている前記コンテンツを再生するＤＶＤレコーダにおいて、
ＤＶＤメディアを回転させるスピンドルモータと、
前記スピンドルモータを制御するモータ制御部と、
前記スピンドルモータに送風する冷却ファンと、
前記冷却ファンを回転させるファン用モータと、
前記ファン用モータへの電流の供給を制御するスイッチ手段と、
前記モータ制御部及び前記スイッチ手段を制御するＤＶＤ制御部と、を備え、
前記スピンドルモータは、回転しているとき前記モータ制御部へＦＧ信号を継続的に送信し、停止しているとき前記モータ制御部へＦＧ信号を送信せず、
前記ＤＶＤ制御部は、前記モータ制御部が前記ＦＧ信号を受信しているとき、前記ファン用モータへ電流を供給するように前記スイッチ手段を制御し、前記モータ制御部が前記ＦＧ信号を受信していないとき、前記ファン用モータへ電流を供給しないように前記スイッチ手段を制御することにより、前記スピンドルモータが回転しているときのみ、前記冷却ファンを稼動させることを特徴とするＤＶＤレコーダ。
【請求項３】
前記コンテンツを前記ＤＶＤメディアと異なる記憶媒体に録画し、前記記憶媒体に録画されている前記コンテンツを再生する録画再生装置を、さらに備え、
前記ＤＶＤ制御部は、前記録画再生装置が動作しているか否かに関わらず、前記スピンドルモータが回転しているときのみ、前記冷却ファンを稼動させることを特徴とする請求項２に記載のＤＶＤレコーダ。
【発明の詳細な説明】
【技術分野】
【０００１】
本発明は、冷却ファンの動作を制御することができるＤＶＤレコーダに関する。
【背景技術】
【０００２】
従来のＤＶＤレコーダにおいては、コンテンツを録画再生するためにＤＶＤメディアを回転させるモータが駆動することにより、ＤＶＤレコーダ本体の内部温度が上昇するため、内部温度が所定の温度以上にならないように送風する冷却ファンが備えられている。この冷却ファンは、ＤＶＤレコーダの電源が投入されると、モータが駆動しているか否かに関わらす、常に稼動する構成となっていた。このため、モータが駆動しておらずＤＶＤレコーダ本体の内部温度が上昇することがない場合において、冷却ファンが稼動することによる消費電力の増加、騒音、及びＤＶＤレコーダ本体内部へ塵埃が入り易くなるという問題が生じていた。
【０００３】
そこで、特許文献１乃至特許文献３には、モータの稼働状況に応じて冷却ファンの動作を制御する方法が開示されている。しかしながら、特許文献１に示される技術においては、装置本体にＤＶＤメディアが存在するか否かに応じて冷却ファンの動作を制御していたため、モータが停止しているときであっても、装置本体にＤＶＤメディアが挿入されていれば、冷却ファンは動作していた。また、特許文献２に示される技術においては、ＤＶＤメディアの内容を表示する表示画面が動作しているか否か、すなわち、表示画面が非表示の状態か否かに応じて冷却ファンの動作を制御していたため、モータが停止しているときであっても、表示画面が非表示の状態でなければ、冷却ファンは動作していた。さらに、特許文献３に示される技術においては、装置本体は、モータの回転数に応じて冷却ファンの回転数を制御するためのテーブルを保持し、このテーブルを参照して、冷却ファンの動作を制御していたため、装置本体の構造が複雑になるという問題が生じていた。
【特許文献１】特開平４−８５８９７号公報
【特許文献２】特開２００１−４１７５３号公報
【特許文献３】特開平１１−２３３９８４号公報
【発明の開示】
【発明が解決しようとする課題】
【０００４】
本発明は、上記従来例の問題を解決するためになされたものであり、ＤＶＤレコーダ本体の温度上昇に直接関係するモータが稼動しているときのみ、冷却ファンを動作させることにより、冷却ファンの不要な回転による消費電力の増加、騒音、及びＤＶＤレコーダ本体内部への塵埃の混入を軽減できるＤＶＤレコーダを提供することを目的とする。
【課題を解決するための手段】
【０００５】
上記目的を達成するために請求項１の発明は、映像及び音声からなるコンテンツをビデオカセットに録画し、ビデオカセットに録画されているコンテンツを再生するＶＣＲを備えたＤＶＤレコーダにおいて、ＤＶＤメディアを回転させるスピンドルモータと、スピンドルモータを制御するモータ制御部と、スピンドルモータに送風する冷却ファンと、冷却ファンを回転させるファン用モータと、ファン用モータへの電流の供給を制御するスイッチ手段と、モータ制御部及びスイッチ手段を制御するＤＶＤ制御部と、を備え、スピンドルモータは、回転しているときモータ制御部へＦＧ信号を継続的に送信し、停止しているときモータ制御部へＦＧ信号を送信せず、ＤＶＤ制御部は、モータ制御部がＦＧ信号を受信しているとき、ファン用モータへ電流を供給するようにスイッチ手段を制御し、モータ制御部がＦＧ信号を受信していないとき、ファン用モータへ電流を供給しないようにスイッチ手段を制御することにより、ＶＣＲが動作しているか否かに関わらず、スピンドルモータが回転しているときのみ、冷却ファンを稼動させるようにしたものである。
【０００６】
また、請求項２の発明は、映像及び音声からなるコンテンツをＤＶＤメディアに録画し、ＤＶＤメディアに録画されているコンテンツを再生するＤＶＤレコーダにおいて、ＤＶＤメディアを回転させるスピンドルモータと、スピンドルモータを制御するモータ制御部と、スピンドルモータに送風する冷却ファンと、冷却ファンを回転させるファン用モータと、ファン用モータへの電流の供給を制御するスイッチ手段と、モータ制御部及びスイッチ手段を制御するＤＶＤ制御部と、を備え、スピンドルモータは、回転しているときモータ制御部へＦＧ信号を継続的に送信し、停止しているときモータ制御部へＦＧ信号を送信せず、ＤＶＤ制御部は、モータ制御部がＦＧ信号を受信しているとき、ファン用モータへ電流を供給するようにスイッチ手段を制御し、モータ制御部がＦＧ信号を受信していないとき、ファン用モータへ電流を供給しないようにスイッチ手段を制御することにより、スピンドルモータが回転しているときのみ、冷却ファンを稼動させるようにしたものである。
【０００７】
また、請求項３の発明は、請求項２のレコーダにおいて、コンテンツをＤＶＤメディアと異なる記憶媒体に録画し、記憶媒体に録画されているコンテンツを再生する録画再生装置を、さらに備え、ＤＶＤ制御部は、録画再生装置が動作しているか否かに関わらず、スピンドルモータが回転しているときのみ、冷却ファンを稼動させるようにしたものである。
【発明の効果】
【０００８】
請求項１の発明によれば、ＤＶＤ制御部は、ＶＣＲが動作しているか否かに関わらず、ＤＶＤレコーダ本体の内部温度を上昇させるスピンドルモータが回転しているときのみ、冷却ファンを稼動させることが可能となる。これにより、ＤＶＤ制御部は、スピンドルモータが停止しているとき、すなわち、ＤＶＤレコーダ本体の内部温度が上昇しないとき、冷却ファンを回転させない、消費電力の増加、騒音、及びＤＶＤレコーダ本体内部へ塵埃の混入を軽減することができる。
【０００９】
請求項２の発明によれば、ＤＶＤ制御部は、ＤＶＤレコーダ本体の内部温度を上昇させるスピンドルモータが回転しているときのみ、冷却ファンを稼動させ、スピンドルモータが停止しているとき、冷却ファンを回転させないため、消費電力の増加、騒音、及びＤＶＤレコーダ本体内部へ塵埃の混入を軽減することができる。
【００１０】
請求項３の発明によれば、ＤＶＤ制御部は、録画再生装置が動作しているか否かに関わらず、ＤＶＤレコーダ本体の内部温度を上昇させるスピンドルモータが回転しているときのみ、冷却ファンを稼動させ、スピンドルモータが停止しているとき、冷却ファンを回転させないため、消費電力の増加、騒音、及びＤＶＤレコーダ本体内部へ塵埃の混入を軽減することができる。
【発明を実施するための最良の形態】
【００１１】
以下、本発明の実施形態に係るレコーダについて、図面を参照して説明する。図１は、本発明の実施形態に係るＤＶＤレコーダの概略構成を示す。ＤＶＤレコーダ１は、コンテンツをＤＶＤメディア２に録画し、ＤＶＤメディア２に録画されているコンテンツを再生するＤＶＤ録画再生装置３と、ＤＶＤ録画再生装置３が機能するためにＤＶＤメディア２を回転させるスピンドルモータ４と、スピンドルモータ４を制御しスピンドルモータ４からＦＧ信号を受信するモータ制御部５と、スピンドルモータ４に送風することによってＤＶＤレコーダ１本体の内部温度の上昇を防ぐ冷却ファン６と、冷却ファン６を回転させるファン用モータ７と、ファン用モータ７の電源電圧８に接続されファン用モータ７に電流を供給する制御を行うトランジスタ９（スイッチ手段）と、ＤＶＤ録画再生装置３とモータ制御部５とトランジスタ９を制御するＤＶＤ制御部１０と、コンテンツをビデオカセット１１に録画し、ビデオカセット１１に録画されているコンテンツを再生するＶＣＲ録画再生装置１２と、ＶＣＲ録画再生装置１２を制御するＶＣＲ制御部１３と、ＤＶＤ制御部１０及びＶＣＲ制御部１３に接続されユーザからの命令を受付ける操作パネル１４と、ＤＶＤ制御部１０及びＶＣＲ制御部１３に接続されコンテンツをモニタ１５に表示する出力部１６とを備える。
【００１２】
ここで、ＤＶＤレコーダ１の内部温度が上昇するのは、スピンドルモータ４が駆動するときのみであり、ＶＣＲ録画再生装置１２が動作してもＤＶＤレコーダ１の内部温度は殆んど上昇しないものとする。このとき、冷却ファン６は、スピンドルモータ４が駆動しているときのみ稼動すれば、ＤＶＤレコーダ１の内部温度の上昇を防止することが可能となる。また、スピンドルモータ４は、回転するとＦＧ信号をモータ制御部５へ出力する構成となっている。ＤＶＤ制御部１０は、モータ制御部５がＦＧ信号を受信したことに応じて、トランジスタ９へ信号を送ることにより、ファン用モータ７への電流の供給を制御する。これにより、冷却ファン６は、スピンドルモータ４が駆動しているときのみ、回転することとなる。
【００１３】
次に、冷却ファン６の動作について説明する。図２は、ＤＶＤレコーダ１における録画再生処理のフローを示す。ＤＶＤレコーダ１に電源が投入されると、ＤＶＤ制御部１０はＤＶＤ録画再生処理（Ｓ２０１〜Ｓ２１２）を、ＶＣＲ制御部１３はＶＣＲ録画再生処理（Ｓ１０１〜Ｓ１０５）をそれぞれ行うことが可能な状態となる。ここで、ＤＶＤレコーダ１において、ＤＶＤ制御部１０及びＶＣＲ制御部１３は、同時に動作することができるものとする。例えば、同時にＤＶＤ制御部１０がＤＶＤメディア２に録画されているコンテンツを再生しているとき、ＶＣＲ制御部１３はコンテンツをビデオカセット１１に録画することができるものとする。
【００１４】
先ず、ＶＣＲ録画再生処理について説明する。ＶＣＲ制御部１３は、ＤＶＤレコーダ１にビデオカセット１１が既に挿入されているか否かを検出する（Ｓ１０１）。既にビデオカセット１１が挿入されていれば（Ｓ１０１でＹｅｓ）、ＶＣＲ制御部１３は、ユーザによってＶＣＲ録画再生処理を開始する命令が操作パネル１４に入力されるのを待つ状態となる（Ｓ１０３）。ステップＳ１０１において、ＤＶＤレコーダ１にビデオカセット１１が挿入されていなければ（Ｓ１０１でＮｏ）、ユーザによってビデオカセット１１が挿入されるのを待つ状態となる（Ｓ１０２）。ステップＳ１０２において、ＶＣＲ制御部１３は、ビデオカセット１１が挿入されるのを待ち続け（Ｓ１０２でＮｏ）、ビデオカセット１１が挿入されると（Ｓ１０２でＹｅｓ）、操作パネル１４にＶＣＲ録画再生処理を開始する命令が入力されるのを待ち続ける（Ｓ１０３でＮｏ）。ステップＳ１０３において、操作パネル１４にＶＣＲ録画再生処理を開始する命令が入力されると（Ｓ１０３でＹｅｓ）、ＶＣＲ録画再生装置１２は、ＶＣＲ録画再生処理を開始する（Ｓ１０４）。ＶＣＲ録画再生装置１２は、ＶＣＲ制御部１３からＶＣＲ録画再生処理を終了する命令を受信するまでＶＣＲ録画再生処理を継続し（Ｓ１０５でＮｏ）、ＶＣＲ制御部１３からＶＣＲ録画再生処理を終了する命令を受信すると（Ｓ１０５でＹｅｓ）、ＶＣＲ録画再生処理を終了する。
【００１５】
次に、ＤＶＤ録画再生処理について説明する。ＤＶＤ制御部１０は、ＤＶＤレコーダ１にＤＶＤメディア２が既に挿入されているか否かを検出する（Ｓ２０１）。既にＤＶＤメディア２が挿入されていれば（Ｓ２０１でＹｅｓ）、ＤＶＤ制御部１０は、ユーザによってＤＶＤ録画再生処理を開始する命令が操作パネル１４に入力されるのを待つ状態となる（Ｓ２０８）。ステップＳ２０１において、ＤＶＤレコーダ１にＤＶＤメディア２が挿入されていなければ（Ｓ２０１でＮｏ）、ユーザによってＤＶＤメディア２が挿入されるのを待つ状態となる（Ｓ２０２）。ステップＳ２０２において、ＤＶＤ制御部１０は、ＤＶＤメディア２が挿入されるのを待ち続ける（Ｓ２０２でＮｏ）。ＤＶＤメディア２が挿入されると（Ｓ２０２でＹｅｓ）、ＤＶＤ制御部１０は、ＤＶＤ録画再生装置３に挿入されたＤＶＤメディア２の属性を読取らせるために、ＤＶＤメディア２を初期回転させる（Ｓ２０３）。ＤＶＤメディア２の初期回転は、モータ制御部５が、ＤＶＤ制御部１０から信号を受信すること応じてスピンドルモータ４を駆動させることにより行われる。ここで、スピンドルモータ４は、ＤＶＤ録画再生装置３がＤＶＤメディア２の属性を読取るために必要な所定時間として、例えば１〜２分の間、回転し続けるものとする。
【００１６】
ステップＳ２０３において、スピンドルモータ４は、駆動を開始するとＦＧ信号をモータ制御部５へ送信する。ＤＶＤ制御部１０は、モータ制御部５がＦＧ信号を受信したことに応じて、ファン用モータ７に電流を供給するようにトランジスタ９に信号を送信する。これにより、冷却ファン６は回転を開始し、スピンドルモータ４へ向けて送風する（Ｓ２０４）。ステップＳ２０３において、スピンドルモータ４が回転を開始してから所定時間が経過する前に、操作パネル１４にＤＶＤ録画再生処理を開始する命令が入力されると（Ｓ２０５でＹｅｓ）、ＤＶＤ録画再生装置３は、ＤＶＤ録画再生処理を開始する（Ｓ２０９）。一方、ステップＳ２０５において、操作パネル１４にＤＶＤ録画再生処理を開始する命令が入力されることなく、所定時間が経過すると（Ｓ２０５でＮｏ）、ＤＶＤ制御部１０は、モータ制御部５を介してスピンドルモータ４を停止させるによりＤＶＤメディア２の初期回転を停止させる（Ｓ２０６）。スピンドルモータ４が停止すると、モータ制御部５は、スピンドルモータ４からＦＧ信号を受信しなくなるため、ＤＶＤ制御部１０は、ファン用モータ７に電流を供給しないようにトランジスタ９に信号を送信する。これにより、冷却ファン６は回転を停止する（Ｓ２０７）。
【００１７】
その後、操作パネル１４にＤＶＤ録画再生処理を開始する命令が入力されると（Ｓ２０８でＹｅｓ）、ＤＶＤ録画再生装置３は、ＤＶＤ録画再生処理を開始する（Ｓ２０９）。操作パネル１４にＤＶＤ録画再生処理を開始する命令が入力されなければ（Ｓ２０８でＮｏ）、ＤＶＤレコーダ１は、ユーザから操作パネル１４にＤＶＤ録画再生処理を開始する命令が入力されるのを待ち続ける（Ｓ２０８でＮｏ）。ステップＳ２０９において、ＤＶＤ録画再生装置３がＤＶＤ録画再生処理を行うとき、ＤＶＤメディア２を回転させるために、スピンドルモータ４は回転している。これにより、モータ制御部５はスピンドルモータ４からＦＧ信号を受信しているため、ＤＶＤ制御部１０は、ファン用モータ７に電流を供給するようにトランジスタ９に信号を送信する。これにより、冷却ファン６は回転を開始し、スピンドルモータ４へ向けて送風することとなる（Ｓ２１０）。
【００１８】
ＤＶＤ録画再生装置３は、ＤＶＤ制御部１０からＤＶＤ録画再生処理を終了する命令を受信するまでＤＶＤ録画再生処理を継続し（Ｓ２１１でＮｏ）、ＤＶＤ制御部１０からＤＶＤ録画再生処理を終了する命令を受信すると（Ｓ２１１でＹｅｓ）、ＤＶＤ録画再生処理を終了する。スピンドルモータ４が停止することにより、ＤＶＤ録画再生処理が終了するため、ＤＶＤ録画再生処理が終了すると、スピンドルモータ４がモータ制御部５にＦＧ信号を送信しなくなる。モータ制御部５がスピンドルモータ４からＦＧ信号を受信しなくなることにより、ＤＶＤ制御部１０は、ファン用モータ７に電流を供給しないようにトランジスタ９に信号を送信する。これにより、冷却ファン６は回転を停止する（Ｓ２１２）。
【００１９】
このように、ＤＶＤ制御部１０は、スピンドルモータ４が回転しているときにモータ制御部５へ送信するＦＧ信号の有無に応じて、冷却ファン６を稼動させるか否かの制御を行う。これにより、ＤＶＤ制御部１０は、ＶＣＲ録画再生装置１２が動作しているか否かに関わらず、ＤＶＤレコーダ１の内部温度を上昇させるスピンドルモータ４が回転しているときのみ冷却ファンを稼動させることが可能となる。スピンドルモータ４が停止しているときに冷却ファンが稼動することがなくなるため、スピンドルモータ４の動作状態に関わらず常に冷却ファン６が稼動している場合に比べて、ＤＶＤレコーダ１の消費電力の増加、冷却ファン６による騒音、及びＤＶＤレコーダ本体内部へ塵埃の混入を軽減することができる。
【００２０】
なお、本発明は、上記実施形態の構成に限られず、種々の変形が可能であり、例えば、ファン用モータ７への電流の供給を制御するスイッチ手段としてのトランジスタ９に変えて、マイコンを用いる構成であっても構わない。
【図面の簡単な説明】
【００２１】
【図１】本発明の実施形態に係るＤＶＤレコーダの概略を示す構成図。
【図２】同ＤＶＤレコーダにおける録画再生処理フロー。
【符号の説明】
【００２２】
１  ＤＶＤレコーダ
４  スピンドルモータ
５  モータ制御部
６  冷却ファン
７  ファン用モータ
９  トランジスタ（スイッチ手段）
１０  ＤＶＤ制御部
１２〜１３  ＶＣＲ
【図１】
2008108370.tif 000003
【図２】
2008108370.tif 000004